(57)【要約】【課題】ガラス製の天板の下部に静電式のタッチセンサを取り付け、天板の上面に触れることによって火力調節などを行う従来のものでは、調理器具から吹きこぼれ等が生じて天板上に液状物が拡がり、その液状物が天板を覆っている状態で天板に触れても、タッチセンサが誤作動したり全くタッチしたことを検知できなくなる恐れがある。【解決手段】操作ボタン部にタッチ片を貼着し、操作ボタンを天板上面より上方に突出させることにより、操作ボタンの上面に液状物が滴下した場合でも液状物が操作ボタンから天板側に流れ落ちて操作ボタンの上面に停留しないようにした。【選択図】  図３
2013104654.tif 000002
【特許請求の範囲】
【請求項１】
上面にガラス製の水平な天板を有し、この天板の一部にタッチセンサ式の操作スイッチをタッチ操作するタッチ部が設けられたコンロ装置において、タッチ部を天板の他の平面部分より盛り上げ、タッチ部の上面を天板の上面より高くなるようにしたことを特徴とするコンロ装置。
【請求項２】
上記天板を平板で形成し、上記タッチ部となる位置にタッチ片を貼着してタッチ部を形成することを特徴とする請求項１に記載のコンロ装置。
【請求項３】
上記タッチ片は透明な部材からなり、タッチ部に貼着した状態でタッチ部に表示された文字や記号がタッチ片を透して識別し得るようにしたことを特徴とする請求項２に記載のコンロ装置。
【請求項４】
上記タッチ部の上面の中央が最も高く、中心から周囲に離れるに従って漸次低くなるようにしたことを特徴とする請求項１から請求項３のいずれかに記載のコンロ装置。
【請求項５】
上記タッチ部の上面を凸レンズ状に形成したことを特徴とする請求項４に記載のコンロ装置。
【請求項６】
上記タッチ部が複数箇所設けられており、かつ、タッチ部がタッチ片により形成されている場合、天板に貼着される複数のタッチ片はタッチ部の操作内容に応じて色分けされていることを特徴とする請求項２から請求項５のいずれかに記載のコンロ装置。
【発明の詳細な説明】
【技術分野】
【０００１】
本発明は、天板の上面に操作ボタンを有するコンロ装置に関する。
【背景技術】
【０００２】
従来のコンロ装置では、天板上面の手前側端部に操作ボタンが設けられている。（例えば、特許文献１参照）。
【０００３】
このものでは、デザイン性を重視するため、天板をガラス板で形成し、そのガラス製の天板の下面に静電式のタッチセンサを設置している。そして、天板の上面の所定位置に触れるとタッチセンサが、その触れたことを検知して加熱部のオンオフ状態の切り替えや火力調節を行うように構成されている。
【先行技術文献】
【特許文献】
【０００４】
【特許文献１】特開２００７−１２７３６５号公報（請求項６、段落００３２）
【発明の概要】
【発明が解決しようとする課題】
【０００５】
上記従来のものでは、ガラス製の天板の下面にタッチセンサを設置しているので、天板の上面は全くフラットになっている。デザイン性の観点からは優れているが、加熱部に載置された鍋などの調理器具から吹きこぼれ等が生じ、液状物が天板上に流れ出ると、タッチセンサが設けられている範囲にその液状物が流れてくることが考えられる。上記従来のものでは、タッチセンサは静電式であるため、天板上に液状物が拡がってその液状物が天板上を覆っている状態で天板に触れても、乾燥状態で触れた状態での静電容量の変化と異なった変化をする恐れがあり、火力調節時に誤作動し、あるいは全く火力調節ができなくなることが考えられる。また、液状物が透明でなければ、天板を覆うことにより天板上に表した表示が見えなくなり、タッチすべき位置がわからなくなるという不具合も生じる。
【０００６】
そこで本発明は、上記の問題点に鑑み、天板上に液状物が流れ出ても確実に操作ボタンを操作することができるコンロ装置を提供することを課題とする。
【課題を解決するための手段】
【０００７】
上記課題を解決するために本発明によるコンロ装置は、上面にガラス製の水平な天板を有し、この天板の一部にタッチセンサ式の操作スイッチをタッチ操作するタッチ部が設けられたコンロ装置において、タッチ部を天板の他の平面部分より盛り上げ、タッチ部の上面を天板の上面より高くなるようにしたことを特徴とする。
【０００８】
タッチ部を天板と一体に形成してもよいが、上記天板を平板で形成し、上記タッチ部となる位置にタッチ片を貼着してタッチ部を形成してもよい。
【０００９】
なお、上記タッチ片は透明な部材からなり、タッチ部に貼着した状態でタッチ部に表示された文字や記号がタッチ片を透して識別し得るようにすれば、タッチ片がなかった従来のものにも適用しやすい。
【００１０】
また、上記タッチ部の上面の中央が最も高く、中心から周囲に離れるに従って漸次低くなるようにすれば、液状物がタッチ片に滴下してもタッチ片上に停留せず、常に操作スイッチを露出させることができる。
【００１１】
さらに、上記タッチ部の上面を凸レンズ状に形成すれば、タッチ部に表示された文字や記号を大きく見せることができる。
【００１２】
ところで、上記タッチ部が複数箇所設けられており、かつ、タッチ部がタッチ片により形成されている場合、天板に貼着される複数のタッチ片はタッチ部の操作内容に応じて色分けすれば、判別が容易にできるようになる。
【発明の効果】
【００１３】
以上の説明から明らかなように、本発明は、天板から上方に突出した操作ボタンを設けることにより、液状物が操作ボタンに滴下しても操作ボタン上に液状物が停留せず常に操作ボタンを露出させることができる。また、吹きこぼれ等により液状物が天板上に流れ出て操作ボタンが設けられている範囲まで液状物が拡がっても、操作ボタンが液状物に水没することなく露出し続けることができる。そのため、液状物が不透明であっても操作ボタンの位置を認識することができ、かつ操作することができる。
【図面の簡単な説明】
【００１４】
【図１】本発明の一実施の形態の構成を示す図
【図２】操作ボタンの拡大図
【図３】III−III断面図
【図４】タッチ片の詳細を示す図
【発明を実施するための形態】
【００１５】
図１を参照して、１は本発明によるコンロ装置の一例である。本実施の形態では、コンロ装置１はＩＨ式のものであり、カウンタトップＣＴに形成された図示しない矩形の窓穴に対して上方からはめ込まれている。カウンタトップＣＴの上部には天板２が露出しており、コンロ装置１の本体１１はカウンタトップＣＴの下部に吊持されている。
【００１６】
天板２はガラス板で形成されており、天板２には３ヵ所に加熱部２１が設定されている。各加熱部２１の下方には加熱用の磁界を発生させる加熱コイル（図示せず）が配設されており、加熱部２１上に鍋などの調理器具を載置すると、調理器具の底板内部に誘導電流を発生させて底板自体を発熱させる。
【００１７】
各加熱部２１の各々に対応してオンオフ状態を切り替える操作ボタンや火力を増減させる操作ボタン群３が天板２の上面に設けられている。
【００１８】
図２および図３を参照して、上記ボタン群３にはオンオフ状態を切り替える操作ボタン３１と火力調節用の操作ボタン３２とが設けられている。このうちの操作ボタン３１を例に説明すると、天板２とは別体に形成された透明なタッチ片３１ａを、フラットな天板２の上面に貼着し、タッチ片３１ａの上面が天板２より上方に突出するようにした。このタッチ片３１ａの下部には天板２を介して基板１２上のタッチセンサ端子３１ｂが配設されており、タッチ片３１ａを指で触るとタッチセンサ端子３１ｂがそのタッチを感知して、加熱部２１に設けた加熱コンロへの通電が開始され、再度タッチ片３１ａに触ると通電が停止するように構成されている。
【００１９】
上記構成を採用しているので、例えば操作ボタン３１上に水滴Ｄが滴下しても、水滴Ｄは操作ボタン３１の上面に停留することがなく、タッチ片３１ａの上面を伝って流れ落ちて天板２の上面へと移動する。また、調理器具から多量の液状物が吹きこぼれ、天板２の上面に拡がっても、操作ボタン３１の大半の部分は喫水ＷＬよりも上方に位置することになり、喫水ＷＬに水没することがない。
【００２０】
また、操作ボタン３１を例に説明したが、操作ボタン３２についても同様の構成を採用しているので、操作ボタン３２についても同様の効果が得られる。
【００２１】
図２に示すように、タッチ片３１ａを上方から見ると「ＯＮ」という表示を視認することができる。この表示は天板２の上面に印刷されたもので、その印刷された表示を覆うように透明なタッチ片３１ａを貼着すると、タッチ片３１ａを透過して表示を視認することができる。なお、タッチ片３１ａが凸レンズとして作用するので、天板２の上面に印刷する表示の大きさは比較的小さくても、タッチ片３１ａによって拡大されて視認することができる。
【００２２】
このように、表示を天板２の上面に印刷するようにすれば、従来の既存の天板を用い、タッチ片３１ａを追加するだけで本発明のコンロ装置を得ることができるが、天板２の上面に表示を印刷する形態に限定されるものではない。
【００２３】
例えば、図４に示すように、タッチ片３１ａの上面３１ａＴや下面３１ａＢに表示を印字してもよい。また、タッチ片３１ａを樹脂で整形する場合には、タッチ片３１ａの内部に印字物３１ａＭを鋳込んでもよい。
【００２４】
上記表示の位置がいずれであっても、タッチ片３１ａ自体に着色して他のタッチ片と識別できるようにしてもよい。また、表示を蛍光物で形成して、天板２の下方から紫外線を当てて表示自体を発光させるようにしてもよい。
【００２５】
なお、本発明は上記した形態に限定されるものではなく、本発明の要旨を逸脱しない範囲内において種々の変更を加えてもかまわない。
【符号の説明】
【００２６】
１  コンロ装置
２  天板
３１、３２  操作ボタン
３１ａ  タッチ片
【図１】
2013104654.tif 000003
【図２】
2013104654.tif 000004
【図３】
2013104654.tif 000005
【図４】
2013104654.tif 000006